(57)【要約】【課題】  放電による電子等の高速飛散で浄化する際に、より確実な浄化方法を提供することを目的とする。【解決手段】  対向電極３１，３２，３３に水分を供給し、放電領域９でＯＨラジカルを大量発生させ、放電による電子等の高速飛散による空気中の微生物破壊とＯＨラジカルの酸化分解作用による空気中の微生物破壊の相乗効果で浄化性能を向上させる。【選択図】  図２
2005192822.tif 000002
【特許請求の範囲】
【請求項１】
浄化対象の空間の空気が流れる通風回路中に配設された電極自体にＯＨ基を含む液体を供給し、
前記液体が供給された電極に電圧を印加して放電領域を形成するとともに前記放電領域が前記液体に作用してＯＨラジカルを発生させ、
この放電領域に浄化対象を通過させて浄化するとともにＯＨラジカルを前記通風回路の下手側に放出して前記浄化対象の空間を浄化する
浄化方法。
【請求項２】
浄化対象の空間の空気が流れる通風回路中に配設された放電電極と、
吸水性を有し前記放電電極と対向する対向電極と、
前記対向電極に連結されＯＨ基を含む液体を供給するタンクと、
前記放電電極と前記対向電極の間に放電領域が形成されるように電極間に電圧を印加する電源装置と
を設けた浄化装置。
【請求項３】
前記対向電極を、板状に成形された発泡金属で構成した
請求項２記載の浄化装置。
【発明の詳細な説明】
【技術分野】
【０００１】
本発明は、放電することにより空気中の有害物質や細菌等の除去を行う空気の浄化装置に関するものである
【背景技術】
【０００２】
従来、放電による殺菌装置は、放電によりイオン化およびオゾン化された気体をある空間で発生させ、イオン化およびオゾン化の相乗効果により空間内の微生物の繁殖を防止させていた。また、その気体を物体に吹き付け微生物の繁殖を防止している（例えば特許文献１参照）。
【特許文献１】特開平９−２３４２３９号公報
【発明の開示】
【発明が解決しようとする課題】
【０００３】
しかしながら、上記従来の構成では、微生物を含む気体が非常に早い速度で空間を通過した場合には、繁殖を十分に防止できない、という課題を有している。
【課題を解決するための手段】
【０００４】
本発明の請求項１記載の浄化方法は、浄化対象の空間の空気が流れる通風回路中に配設された電極自体にＯＨ基を含む液体を供給し、前記液体が供給された電極に電圧を印加して放電領域を形成するとともに前記放電領域が前記液体に作用してＯＨラジカルを発生させ、この放電領域に浄化対象を通過させて浄化するとともにＯＨラジカルを前記通風回路の下手側に放出して前記浄化対象の空間を浄化することを特徴とする。
【０００５】
本発明の請求項２記載の浄化装置は、浄化対象の空間の空気が流れる通風回路中に配設された放電電極と、吸水性を有し前記放電電極と対向する対向電極と、前記対向電極に連結されＯＨ基を含む液体を供給するタンクと、前記放電電極と前記対向電極の間に放電領域が形成されるように電極間に電圧を印加する電源装置とを設けたことを特徴とする。また、前記対向電極を、板状に成形された発泡金属で構成したことを特徴とする。
【発明の効果】
【０００６】
これにより放電によってＯＨラジカルを大量発生させることで、微生物を含む気体が放電領域部分を通過する際、放電によって発生した電子等で微生物を衝突破壊するとともに、ＯＨラジカルの酸化分解作用が加わり、除菌効果の向上を期待できる。
【発明を実施するための最良の形態】
【０００７】
以下、本発明の浄化方法を具体的な実施の形態に基づいて説明する。
図１は本発明の（実施の形態１）の浄化装置をセパレート型空気調和機に適用した場合を示している。
【０００８】
室内機Ａと室外機Ｂとが冷媒配管Ｄ１，Ｄ２で接続されている。Ｅは室内側熱交換器、Ｆは送風ファンである。Ｊは送風ファンＦの運転によって発生する空気流の流れ方向を示している。
【０００９】
室内機Ａには、図２に示す浄化装置１が設けられている。
浄化装置１は、２はステンレス，タングステン，ニッケルなどからなる放電電極、３１，３２，３３は吸水性を有する対向電極で、具体的にはステンレス製発泡金属でできた板状の電極である。
【００１０】
この対向電極３１，３２，３３は、基端部が図３に示すようにプラスチック製の中空の中間タンク４に挿入されて所定間隔で保持されている。さらに詳しくは、電気絶縁性のプラスチックで形成された中間タンク４には、底部から内部に電極４Ａが挿入されている。中間タンク４の上部には、この中間タンク４よりも高い位置に取り付けられたメインタンク５が電気絶縁性のゴム製のチューブ６を介して接続されている。メインタンク５も電気絶縁性のプラスチックで構成されている。
【００１１】
前記放電電極２は、対向電極３１と対向電極３２の間から対向電極３２と対向電極３３の間を蛇行するように引き廻されている。
なお、対向電極３１，３２，３３は、前記空気流Ｊの流れ方向に沿って空気流入口１２Ａと空気流出口１２Ｂが形成されたケーシング１２の内部に組み込まれ、基端部が中間タンク４に挿入されたこの対向電極３１，３２，３３の先端は空気流Ｊを横切る方向に張り出して配置されている。
【００１２】
７はパルス高電圧印加装置で、例えば、倍電圧回路にＩＧＢＴなどのスイッチングを備え高周波数のパルス波形の電圧を生成し、さらに高圧トランスで昇圧するなど、パルス高電圧を発生するように構成されている。このパルス高電圧印加装置で発生した電圧は、放電電極２と前記電極４Ａの間に印加されている。
【００１３】
このように構成したため、メインタンク５に水８を溜めると、その水８はチューブ６を介して中間タンク４に満たされる。中間タンク４に満たされ水８は、発泡金属製の対向電極３１，３２，３３の根元部分に到達し、毛細管現象で滲み出して対向電極３１，３２，３３の全体に水が行き亘る。
【００１４】
そして、室内機Ａの通風回路中を流れる空気流Ｊによって対向電極３１，３２，３３の水分は蒸発し、気化する。
なお、パルス高電圧印加装置７から放電電極２と前記電極４Ａの間に電圧が印加されると、中間タンク４に満たされた水８を介して対向電極３１，３２，３３に通電され、対向電極３１，３２，３３と放電電極２との間の放電領域９にパルスストリーマ放電が発生し、気化した水分は酸化力の非常に高いＯＨラジカルを多量に発生する。
【００１５】
そして、浄化対象の空間である室内１０から吸い込まれた空気流Ｊが、この放電領域９を通過する際には、空気流Ｊに含まれている微生物などは通過中に多量電子の高速飛散や多量のＯＨラジカルによる衝突で、外壁やたんぱく質が破壊される。さらにはＤＮＡやＲＮＡが変形されたりするなど微生物は通過中に破壊または不活化されて通過することになる。
【００１６】
このようにして微生物は、殺滅または不活化されて処理済み空気流１１となって浄化ユニット１から放出され、室内側熱交換器Ｅを通過して室内１０に放出される。また、室内１０には空気流Ｊに伴われてＯＨラジカルが放出されるので前記浄化対象の空間に配置された家具やカーテンなどの内装品にＯＨラジカルが付着することによって浄化できる。
【００１７】
放電領域９において、通過中に微生物などをより確実に破壊または不活化させるためには、浄化装置１の上流から下流に気流を通過させた場合の放電領域９における空気流Ｊの通過風速と、対向電極３１，３２，３３と放電電極２との間に印加される高電圧のパルス周波数との関係が重要である。
【００１８】
すなわち、微生物などが放電領域を通過する前に、少なくとも１回以上の高電圧を印加して多量電子の高速飛散により、外壁やたんぱく質などを破壊しなくてはならない。
たとえば、空気調和機では室内機Ａを通過する空気流Ｊの風速は、約１ｍ／Ｓである。放電領域９の幅が数ｍｍ〜数１０ｍｍとすると、パルス高電圧印加装置７では数１００〜数ｋＨｚという高い周波数で高電圧を印加させる必要がある。
【００１９】
また、より多量の電子の高速飛散を行わせるためには、瞬時に電圧を立ち上がらせるほうが有利であり、かつ、電圧印加時間の短いほうがオゾンの発生を少なくできる。
以上のように、放電電極２と対向電極３１，３２，３３に、パルス高電圧印加装置７から空気流Ｊの通過風速に基づく高い周波数、瞬時に電圧を立ち上がらせオゾンの発生を少なくするパルス幅を考慮し、高周波数のパルス高電圧を印加させることが必要になる。上記実施の形態のように、放電している領域に水分を供給し、酸化力の強いＯＨラジカルを大量発生させることによって、微生物などを含む空気流Ｊが非常に早い速度で放電領域９を通過した場合でも、微生物などと放電による電子等の衝突破壊だけでなく、電子等の衝突破壊と酸化力の強いＯＨラジカルの相乗効果によって、ワンパスの除菌効果の向上を実現することができる。
【００２０】
因みに、前記メインタンク５とチューブ６と中間タンク４には、絶縁性の高い材料を使用することによって漏電を防止できた。
【産業上の利用可能性】
【００２１】
本発明の浄化方法および浄化装置は、空気調和機の他、空気清浄器，加湿器などに利用できる。
【図面の簡単な説明】
【００２２】
【図１】本発明の実施の形態の浄化装置をセパレート型空気調和機に適用した場合の全体の断面図
【図２】同実施の形態の浄化ユニットの斜視図
【図３】図２の要部の断面図
【符号の説明】
【００２３】
１    浄化装置
２    放電電極
３１，３２，３３    吸水性を有する対向電極
４    中間タンク
４Ａ    電極
５    メインタンク
６    チューブ
７    パルス高電圧印加装置
８    水
９    放電領域
１０    室内
Ａ    室内機
Ｅ  室内側熱交換器
Ｆ    送風ファン
Ｊ    空気流
【図１】
2005192822.tif 000003
【図２】
2005192822.tif 000004
【図３】
2005192822.tif 000005